(57)【特許請求の範囲】
【請求項１】
一体的に構成された絶縁性のボビンと、軸線に沿って前記ボビンの周囲を巻回すると共に、主面が前記軸線に対して略垂直な平面に沿って延びる、平板状の第１コイル巻線と、前記軸線に沿って前記ボビンの周囲を巻回すると共に、主面が前記軸線に対して略垂直な平面に沿って延びる、平板状の第２コイル巻線と、を備えるコイル部品であって、
前記ボビンは、
平面視において外形が略矩形であって、前記軸線を中心として対向配置された二組の一対の側壁部が連結されて構成される筒状の本体部と、
前記軸線に対して前記本体部から外方へ突出すると共に、前記軸線に対して直交する平面に沿って延び、主面が前記第１コイル巻線の主面と当接するフランジ部と、
前記フランジ部が前記第１コイル巻線と当接した状態で、前記軸線に対して直交する平面に沿った移動範囲内で、前記二組の一対の側壁部のうちの一方の一対の側壁部の幅方向と同方向の第１の方向に沿った前記第１コイル巻線の取り付け位置までの移動を許容する第１ガイド部と、
前記軸線方向に沿って延び、前記フランジ部が前記第１コイル巻線と当接して前記取り付け位置に配置された状態で、前記第１の方向への前記第１コイル巻線の移動を規制する第１規制壁部と、
前記フランジ部の前記第１コイル巻線と当接する主面に設けられ、前記フランジ部が前記第１コイル巻線と当接して前記取り付け位置に配置された状態で、前記第１の方向に対する逆方向への前記第１コイル巻線の移動を規制する第１係止部と、
前記フランジ部が前記第１コイル巻線と当接して前記取り付け位置に配置された状態で、前記第１コイル巻線を挟んで前記フランジ部と対向して設けられ、前記軸線の延在方向への前記第１コイル巻線の移動を規制する第１規制爪部と、
を有し、
前記第２コイル巻線の主面は、前記フランジ部における前記第１コイル巻線の当接面とは逆側の主面に対して当接し、
前記ボビンは、
前記フランジ部が前記第２コイル巻線と当接した状態で、前記軸線に対して直交する平面に沿った移動範囲内で、且つ前記二組の一対の側壁部のうちの一方の一対の側壁部の幅方向と同方向の第２の方向に沿った前記第１コイル巻線の取り付け位置までの移動を許容する第２ガイド部と、
前記軸線方向に沿って延び、前記フランジ部が前記第２コイル巻線と当接して前記取り付け位置に配置された状態では、前記第１の方向への前記第２コイル巻線の移動を規制する第２規制壁部と、
前記フランジ部の前記第２コイル巻線と当接する主面に設けられ、前記フランジ部が前記第２コイル巻線と当接して前記取り付け位置に配置された状態で、前記第２の方向に対する逆方向への前記第２コイル巻線の移動を規制する第２係止部と、
前記フランジ部が前記第２コイル巻線と当接して前記取り付け位置に配置された状態で、前記第２コイル巻線を挟んで前記フランジ部と対向して設けられ、前記軸線の延在方向への前記第２コイル巻線の移動を規制する第２規制爪部と、
を有するコイル部品。
【請求項２】
前記第１係止部は、前記フランジ部から突出し、前記フランジ部と当接した状態の前記第１コイル巻線が前記第１の方向へ移動する際には、前記第１コイル巻線がその上方を跨ぐことを許容し、移動後は、前記第１コイル巻線の前記第１の方向に対する逆方向への移動を規制する請求項１に記載のコイル部品。
【請求項３】
前記第１コイル巻線は、前記取り付け位置に配置された状態において、前記第１係止部と対向する位置に前記第１係止部と嵌合する第１嵌合部を有し、
前記第１係止部は、前記第１係止部と前記第１コイル巻線の前記第１嵌合部とが嵌合するまでは、前記フランジ部と当接した状態の第１コイル巻線の前記第１の方向への移動を許容し、前記第１係止部と前記第１コイル巻線の前記第１嵌合部とが嵌合した後は、前記第１コイル巻線の前記第１の方向に対する逆方向への移動を規制する請求項１に記載のコイル部品。
【請求項４】
前記第１コイル巻線は、１ターン以上の巻数を有する巻線部材が、間を隔てて前記軸線方向に並設して複数配置されることにより、複数ターンの巻数を有し、
前記ボビンは、前記本体部の側面に、隣接する前記巻線部材の間の少なくとも一部に配置される凸部を有する請求項１〜３のいずれか一項に記載のコイル部品。
【請求項５】
前記第１コイル巻線は、他の部品と熱的に結合される第１放熱端子部を有し、
前記ボビンは、前記第１放熱端子部を支持する第１放熱端子支持部を有する請求項１〜４のいずれか一項に記載のコイル部品。
【請求項６】
前記第２係止部は、前記フランジ部から突出し、前記フランジ部と当接した状態の前記第２コイル巻線が前記第２の方向へ移動する際には、前記第２コイル巻線がその上方を跨ぐことを許容し、移動後は、前記第２コイル巻線の前記第２の方向に対する逆方向への移動を規制する請求項１〜５のいずれか一項に記載のコイル部品。
【請求項７】
前記第２コイル巻線は、前記取り付け位置に配置された状態において、前記第２係止部と対向する位置に前記第２係止部と嵌合する第２嵌合部を有し、
前記第２係止部は、前記第２係止部と前記第２コイル巻線の前記第２嵌合部とが嵌合するまでは、前記フランジ部と当接した状態の第２コイル巻線の前記第２の方向への移動を許容し、前記第２係止部と前記第２コイル巻線の前記第２嵌合部とが嵌合した後は、前記第２コイル巻線の前記第２の方向に対する逆方向への移動を規制する請求項１〜５のいずれか一項に記載のコイル部品。
【請求項８】
前記第２コイル巻線は、１ターン以上の巻数を有する巻線部材が、間を隔てて前記軸線方向に並設して複数配置されることにより、複数ターンの巻数を有し、
前記ボビンは、前記本体部の側面に、隣接する前記巻線部材の間の少なくとも一部に配置される凸部を有する請求項１〜７のいずれか一項に記載のコイル部品。
【請求項９】
前記第２コイル巻線は、他の部品と熱的に結合される第２放熱端子部を有し、
前記ボビンは、前記第２放熱端子部を支持する第２放熱端子支持部を有する請求項１〜８のいずれか一項に記載のコイル部品。
【請求項１０】
請求項１〜９のいずれか一項に記載のコイル部品と、
前記コイル部品が取り付けられる筐体と、を備える電源装置。
【発明の詳細な説明】
【技術分野】
【０００１】
本発明は、コイル部品及び電源装置に関する。
【背景技術】
【０００２】
車載用バッテリの充電器等に組み込まれる電源装置のトランス等では、コイル巻線とコイル用ボビンとを含むコイル部品が用いられる。コイル用ボビンは、コイル巻線の位置決めを行うと同時にコイル巻線同士や他の部品との短絡を防ぐことを目的に用いられる。例えば、特許文献１には、円筒状のコイル用ボビンの外周に設けられた凸部をコイル巻線の切込み部に対応させた状態で、コイル巻線にコイル用ボビンを挿入した後、コイル用ボビンに対してコイル巻線を回動させることで、コイル用ボビンに設けられた凸部がコイル巻線の移動を規制している構成が示されている。
【先行技術文献】
【特許文献】
【０００３】
【特許文献１】特開２０１２−２２２１５３号公報
【発明の概要】
【発明が解決しようとする課題】
【０００４】
電源装置の設計上脚部の断面が矩形の磁性体コアを備えたトランス等が必要となる場合ある。この場合、脚部の周囲を巻回するコイル巻線も平面視において矩形とし、コイル巻線に挿入されるボビンも平面視での外形を矩形とすることが多い。しかしながら、特許文献１に記載された構成は、円筒状のコイル用ボビンであり、ボビンに対してコイル巻線が回動可能であることを前提としている。したがって、特許文献１に記載の構成を平面視での外形が矩形状のボビンに対しては適用することができない。
【０００５】
本発明は上記を鑑みてなされたものであり、平面視で外形が略矩形の本体部を有するボビンであっても、コイル巻線を好適に取り付け及び保持することが可能なコイル部品及び電源装置を提供することを目的とする。
【課題を解決するための手段】
【０００６】
上記目的を達成するため、本発明の一形態に係るコイル部品は、絶縁性のボビンと、軸線に沿って前記ボビンの周囲を巻回すると共に、主面が前記軸線に対して略垂直な平面に沿って延びる、平板状の第１コイル巻線と、を備えるコイル部品であって、前記ボビンは、平面視において外形が略矩形であって、前記軸線を中心として対向配置された二組の一対の側壁部が連結されて構成される筒状の本体部と、前記軸線に対して前記本体部から外方へ突出すると共に、前記軸線に対して直交する平面に沿って延び、主面が前記第１コイル巻線の主面と当接するフランジ部と、前記フランジ部が前記第１コイル巻線と当接した状態で、前記軸線に対して直交する平面に沿った移動範囲内で、前記二組の一対の側壁部のうちの一方の一対の側壁部の幅方向と同方向の第１の方向に沿った前記第１コイル巻線の取り付け位置までの移動を許容する第１ガイド部と、前記軸線方向に沿って延び、前記フランジ部が前記第１コイル巻線と当接して前記取り付け位置に配置された状態で、前記第１の方向への前記第１コイル巻線の移動を規制する第１規制壁部と、前記フランジ部の前記第１コイル巻線と当接する主面に設けられ、前記フランジ部が前記第１コイル巻線と当接して前記取り付け位置に配置された状態で、前記第１の方向に対する逆方向への前記第１コイル巻線の移動を規制する第１係止部と、前記フランジ部が前記第１コイル巻線と当接して前記取り付け位置に配置された状態で、前記第１コイル巻線を挟んで前記フランジ部と対向して設けられ、前記軸線の延在方向への前記第１コイル巻線の移動を規制する第１規制爪部と、を有する。
【０００７】
上記のコイル部品によれば、第１コイル巻線をボビンのフランジ部に当接した状態で、第１の方向に沿って移動させて取り付け位置まで移動させ、取り付け位置に配置された状態では、軸線方向に沿って延びる第１規制壁部により、第１の方向への第１コイル巻線の移動が規制される。また、ボビンのフランジ部に設けられた第１係止部により、第１の方向に対する逆方向への前記第１コイル巻線の移動が規制される。このように、上記のコイル部品では、ボビンが平面視において外形が略矩形状の本体部を有している場合に、フランジ部に対して当接した第１コイル巻線を第１の方向へ移動させることで、ボビンへの取り付けを適切に行うことができると共に、取り付け位置に第１コイル巻線を配置した後は、第１コイル巻線の第１の方向への移動と軸線方向への移動が規制されるため、コイル巻線を好適に保持することが可能となる。
【０００８】
ここで、前記第１係止部は、前記フランジ部から突出し、前記フランジ部と当接した状態の前記第１コイル巻線が前記第１の方向へ移動する際には、前記第１コイル巻線がその上方を跨ぐことを許容し、移動後は、前記第１コイル巻線の前記第１の方向に対する逆方向への移動を規制する態様とすることができる。
【０００９】
上記の構成を有することで、第１コイル巻線を第１の方向に沿って取り付け位置まで移動させる際には、第１係止部の上方を第１コイル巻線が跨ぐことが許容され、移動後、すなわち、取り付け位置に第１コイル巻線を取り付けた後は、第１の方向に対する逆方向への移動が規制される。この結果、取り付け位置に第１コイル巻線を配置した後は、第１コイル巻線の第１の方向への移動と軸線方向への移動が規制されるため、コイル巻線を好適に保持することが可能となる。
【００１０】
また、前記第１コイル巻線は、前記取り付け位置に配置された状態において、前記第１係止部と対向する位置に前記第１係止部と嵌合する第１嵌合部を有し、前記第１係止部は、前記第１係止部と前記第１コイル巻線の前記第１嵌合部とが嵌合するまでは、前記フランジ部と当接した状態の第１コイル巻線の前記第１の方向への移動を許容し、前記第１係止部と前記第１コイル巻線の前記第１嵌合部とが嵌合した後は、前記第１コイル巻線の前記第１の方向に対する逆方向への移動を規制する態様とすることができる。
【００１１】
上記の構成を有することで、第１コイル巻線を第１の方向に沿って取り付け位置まで移動させる際には、第１係止部と第１コイル巻線の第１嵌合部とが嵌合するまで、第１コイル巻線の第１の方向への移動が許容され、第１係止部と第１嵌合部とが嵌合した後、すなわち、取り付け位置に第１コイル巻線を取り付けた後は、第１の方向に対する逆方向への移動が規制される。この結果、取り付け位置に第１コイル巻線を配置した後は、第１コイル巻線の第１の方向への移動と軸線方向への移動が規制されるため、コイル巻線を好適に保持することが可能となる。
【００１２】
ここで、前記第１コイル巻線は、１ターン以上の巻数を有する巻線部材が、間を隔てて前記軸線方向に並設して複数配置されることにより、複数ターンの巻数を有し、前記ボビンは、前記本体部の側面に、隣接する前記巻線部材の間の少なくとも一部に配置される凸部を有する態様とすることができる。
【００１３】
上記のように、第１コイル巻線が複数の巻線部材により構成された複数ターンの巻数を有する場合に、巻線部材の間に配置される凸部がボビンの本体部の側面に設けられることで、巻線部材同士の短絡を防ぐことができ、コイル巻線をより好適に保持することができる。
【００１４】
また、前記第１コイル巻線は、他の部品と熱的に結合される第１放熱端子部を有し、前記ボビンは、前記放熱端子部を支持する第１放熱端子支持部を有する態様とすることができる。
【００１５】
上記のように、第１コイル巻線が第１放熱端子部を有すると共に、ボビンは当該放熱端子部を支持する第１放熱端子支持部を備えることで、第１コイル巻線における発熱を効率よく外部に放出することができる。
【００１６】
また、前記軸線に沿って前記ボビンの周囲を巻回すると共に、主面が前記軸線に対して略垂直な平面に沿って延びる、平板状の第２コイル巻線をさらに備え、前記第２コイル巻線の主面は、前記フランジ部における前記第１コイル巻線の当接面とは逆側の主面に対して当接し、前記ボビンは、前記フランジ部が前記第２コイル巻線と当接した状態で、前記軸線に対して直交する平面に沿った移動範囲内で、且つ前記二組の一対の側壁部のうちの一方の一対の側壁部の幅方向と同方向の第２の方向に沿った前記第１コイル巻線の取り付け位置までの移動を許容する第２ガイド部と、前記軸線方向に沿って延び、前記フランジ部が前記第２コイル巻線と当接して前記取り付け位置に配置された状態では、前記第１の方向への前記第２コイル巻線の移動を規制する第２規制壁部と、前記フランジ部の前記第２コイル巻線と当接する主面に設けられ、前記フランジ部が前記第２コイル巻線と当接して前記取り付け位置に配置された状態で、前記第２の方向に対する逆方向への前記第２コイル巻線の移動を規制する第２係止部と、前記フランジ部が前記第２コイル巻線と当接して前記取り付け位置に配置された状態で、前記第２コイル巻線を挟んで前記フランジ部と対向して設けられ、前記軸線の延在方向への前記第２コイル巻線の移動を規制する第２規制爪部と、を有する態様とすることができる。
【００１７】
上記のコイル部品によれば、第２コイル巻線をボビンのフランジ部に当接した状態で、第２の方向に沿って移動させて取り付け位置まで移動させ、取り付け位置に配置された状態では、軸線方向に沿って延びる第２規制壁部により、第２の方向への第２コイル巻線の移動が規制される。また、ボビンのフランジ部に設けられた第２係止部により、第２の方向に対する逆方向への第２コイル巻線の移動が規制される。このように、上記のコイル部品では、第１コイル巻線に加えて、第２コイル巻線についても、フランジ部に対して当接した第２コイル巻線を第２の方向へ移動させることで、ボビンへの取り付けを適切に行うことができると共に、取り付け位置に第２コイル巻線を配置した後は、第２コイル巻線の第２の方向への移動と軸線方向への移動が規制されるため、コイル巻線を好適に保持することが可能となる。
【００１８】
また、前記第２係止部は、前記フランジ部から突出し、前記フランジ部と当接した状態の前記第２コイル巻線が前記第２の方向へ移動する際には、前記第２コイル巻線がその上方を跨ぐことを許容し、移動後は、前記第２コイル巻線の前記第２の方向に対する逆方向への移動を規制する態様とすることができる。
【００１９】
上記の構成を有することで、第２コイル巻線を第２の方向に沿って取り付け位置まで移動させる際には、第２係止部の上方を第２コイル巻線が跨ぐことが許容され、移動後、すなわち、取り付け位置に第２コイル巻線を取り付けた後は、第２の方向に対する逆方向への移動が規制される。この結果、取り付け位置に第２コイル巻線を配置した後は、第２コイル巻線の第２の方向への移動と軸線方向への移動が規制されるため、コイル巻線を好適に保持することが可能となる。
【００２０】
また、前記第２コイル巻線は、前記取り付け位置に配置された状態において、前記第２係止部と対向する位置に前記第２係止部と嵌合する第２嵌合部を有し、前記第２係止部は、前記第２係止部と前記第２コイル巻線の前記第２嵌合部とが嵌合するまでは、前記フランジ部と当接した状態の第２コイル巻線の前記第２の方向への移動を許容し、前記第２係止部と前記第２コイル巻線の前記第２嵌合部とが嵌合した後は、前記第２コイル巻線の前記第２の方向に対する逆方向への移動を規制する態様とすることができる。
【００２１】
上記の構成を有することで、第２コイル巻線を第２の方向に沿って取り付け位置まで移動させる際には、第２係止部と第２コイル巻線の第２嵌合部とが嵌合するまで、第２コイル巻線の第２の方向への移動が許容され、第２係止部と第２嵌合部とが嵌合した後、すなわち、取り付け位置に第２コイル巻線を取り付けた後は、第２の方向に対する逆方向への移動が規制される。この結果、取り付け位置に第２コイル巻線を配置した後は、第２コイル巻線の第２の方向への移動と軸線方向への移動が規制されるため、コイル巻線を好適に保持することが可能となる。
【００２２】
また、前記第２コイル巻線は、１ターン以上の巻数を有する巻線部材が、間を隔てて前記軸線方向に並設して複数配置されることにより、複数ターンの巻数を有し、前記ボビンは、前記本体部の側面に、隣接する前記巻線部材の間の少なくとも一部に配置される凸部を有する態様とすることができる。
【００２３】
上記のように、第２コイル巻線が複数の巻線部材により構成された複数ターンの巻数を有する場合に、巻線部材の間に配置される凸部がボビンの本体部の側面に設けられることで、巻線部材同士の短絡を防ぐことができ、コイル巻線をより好適に保持することができる。
【００２４】
また、前記第２コイル巻線は、他の部品と熱的に結合される第２放熱端子部を有し、前記ボビンは、前記放熱端子部を支持する第２放熱端子支持部を有する態様とすることができる。
【００２５】
上記のように、第２コイル巻線が第１放熱端子部を有すると共に、ボビンは当該放熱端子部を支持する第２放熱端子支持部を備えることで、第２コイル巻線における発熱を効率よく外部に放出することができる。
【００２６】
また、本発明の一形態に係る電源装置は、上記のコイル部品と、前記コイル部品が取り付けられる筐体と、を備える。
【００２７】
上述したように平面視で外形が略矩形であり且つ筒状のボビン及びその周囲を巻回されたコイル巻線の取り付け及び保持を好適に行うことが可能なコイル部品５が取り付けられているので、コイル部品を含む電源装置においても、コイル巻線を好適に保持することが実現される。また、コイル部品の組み立てが容易であることから、電源装置の組み立てについても容易にすることができる。
【発明の効果】
【００２８】
本発明によれば、平面視で外形が略矩形の本体部を有するボビンであっても、コイル巻線を好適に取り付け及び保持することが可能なコイル部品及び電源装置が提供される。
【図面の簡単な説明】
【００２９】
【図１】一実施形態に係るコイル部品を備える電源装置の一部を示す斜視図である。
【図２】一実施形態に係るコイル部品を備える電源装置の一部を示す斜視図である。
【図３】コイル部品に含まれる第１コイル巻線の斜視図である。
【図４】コイル部品に含まれる第２コイル巻線の斜視図である。
【図５】コイル部品に含まれるボビンの斜視図である。
【図６】コイル部品に含まれるボビンの斜視図である。
【図７】コイル部品に含まれるボビンの正面図である。
【図８】コイル部品に含まれるボビンの背面図である。
【図９】第１コイル巻線のボビンへの取り付け方法を説明する図である。
【図１０】第１コイル巻線のボビンへの取り付け方法を説明する図である。
【図１１】第１コイル巻線のボビンへの取り付け方法を説明する図である。
【図１２】第２コイル巻線のボビンへの取り付け方法を説明する図である。
【図１３】第２コイル巻線のボビンへの取り付け方法を説明する図である。
【図１４】第２コイル巻線のボビンへの取り付け方法を説明する図である。
【図１５】コイル部品の斜視図である。
【図１６】コイル部品の斜視図である。
【図１７】電源装置の分解斜視図である。
【図１８】変形例に係るコイル部品を説明する斜視図である。
【図１９】変形例に係るコイル部品を説明する斜視図である。
【図２０】変形例に係るコイル部品を説明する斜視図である。
【発明を実施するための形態】
【００３０】
以下、添付図面を参照して、本発明を実施するための形態を詳細に説明する。なお、図面の説明においては同一要素には同一符号を付し、重複する説明を省略する。なお、説明のために、各図にＸＹＺ直交座標系を示している。また、Ｚ軸正側を上、Ｚ軸負側を下として説明する場合もある。
【００３１】
（コイル部品の概要）
図１及び図２を参照して、本実施形態に係るコイル部品及びコイル部品を含む電源装置の構成を説明する。図１及び図２は、本実施形態に係るコイル部品を含んで構成される電源装置の一部を示している。本実施形態で説明する電源装置としては、例えば、車載用のスイッチング電源装置が挙げられる。なお、説明のために、各図にＸＹＺ軸を示している。
【００３２】
電源装置１は、筐体２と、筐体２の内面に収容されるチョーク３を含んで構成される。筐体２は、箱状のベースプレート２１とベースプレート２１を覆う蓋部とによって構成されるが、図１では、ベースプレート２１側の一部のみを示している。筐体２のベースプレート２１の底面の表側は、電子部品の取り付けのための凹凸が設けられている。また、筐体２の内部は大電流が流れ高温となることから、ベースプレート２１の底面の裏側に空冷のフィン２２が取り付けられている。また、ベースプレート２１の主面上には図示上方（Ｚ軸正側）に延びる柱部２３Ａ，２３Ｂが設けられる。
【００３３】
チョーク３は、図３に示すように、コイル部品５と、一対の磁性体コア部材６Ａ，６Ｂと、を含んで構成される。また、コイル部品５は、第１コイル巻線７と、第２コイル巻線８と、ボビン９と、を含んで構成される。第１コイル巻線７及び第２コイル巻線８は、それぞれ有端リング状の板状の巻線部材を含んで構成され、複数の巻線部材が間隔を空けて並設されると共にこれらが軸線Ａに沿った所定の巻き方向となるように連結されたものである。第１コイル巻線７及び第２コイル巻線８がボビン９に対して取り付けられて、コイル部品５を形成する。また、コイル部品５を挟み込むように一対の磁性体コア部材６Ａ，６Ｂが配置されることで、チョーク３が形成される。チョーク３には、ベースプレート２１の主面上及び柱部２３Ａ，２３Ｂにおいて筐体２が熱的に結合される（図２参照）。
【００３４】
以下、上記のチョーク３を構成する各部品について説明すると共に、上記のチョーク３を含む電源装置１の組立方法を説明する。
【００３５】
（第１コイル巻線）
第１コイル巻線７について図３を参照しながら説明する。図３は、第１コイル巻線７の構成を説明する斜視図である。
【００３６】
図３に示すように、第１コイル巻線７は、軸線Ａ方向に対して略垂直な平面（ＸＹ平面）に沿って延びる主面を有し、平面視において略矩形状であり且つ有端環状の第１巻線部材７１を有して構成される。第１巻線部材７１は中央に矩形状の開口７０１を有している。第１巻線部材７１は軸線Ａの周囲を巻回する１ターンの巻線であり、一端部と他端部との間には、それぞれ内周から外周まで延びるスリットが形成されている。
【００３７】
また、第１巻線部材７１の一端部には、開口７０１の軸線Ａから外方へ突出する第１接続端子７２が一体的に設けられている。そして、第１巻線部材７１の他端部には、開口７０１の軸線Ａから外方へ突出する第２接続端子７３が一体的に設けられている。第２接続端子７３は、第２コイル巻線８と接続される。
【００３８】
上記の構成を有する第１コイル巻線７では、第１接続端子７２が第１コイル巻線７の始端、第２接続端子７３が第１コイル巻線７の終端になっている。そして、第１接続端子７２に電流を入力した場合、電流は、第１巻線部材７１を流れ、第２接続端子７３から出力される。
【００３９】
また、第１コイル巻線７の第１巻線部材７１の第１接続端子７２近傍において、スリットの間隔を狭めるように第１巻線部材７１の他端部側へ向けて突出する突出部７５を有する。ボビン９に対して第１コイル巻線７を取り付けた際に、突出部７５が、後述のボビン９の規制爪部９６２（第１規制爪部）と当接することにより、第１コイル巻線７の上下方向（Ｚ軸方向）への移動が規制される。
【００４０】
上記の第１コイル巻線７は、電気伝導性が高い一枚の板材（銅板、アルミニウム板等）を打ち抜き加工することで形成可能である。ただし、第１コイル巻線７はこのような折り曲げコイルに限られず、例えば、コイル部材と連結部とをネジ留めしたものであってもよいし、溶接したものであってもよい。また、リベットで固定してもよい。
【００４１】
（第２コイル巻線）
第２コイル巻線８について図４を参照しながら説明する。図４は、第２コイル巻線８の構成を説明する斜視図である。
【００４２】
図４に示すように、第２コイル巻線８は、軸線Ａ方向に対して略垂直な平面（ＸＹ平面）に沿って延びる主面を有し、平面視において略矩形状であり且つ有端環状の略円環状であって、２つの第２巻線部材８１及び第３巻線部材８２を、間を隔てて並設して所定の巻き方向に連なるように連結させたものである。第２巻線部材８１及び第３巻線部材８２はそれぞれ中央に円形状の開口８０１，８０２を有している。第２巻線部材８１及び第３巻線部材８２は、開口８０１，８０２が連通するように重なっている。また、第２巻線部材８１及び第３巻線部材８２は、それぞれ軸線Ａの周囲を巻回する１ターンの巻線であり、一端部と他端部との間には、それぞれ内周から外周まで延びるスリットが形成されている。すなわち、第２コイル巻線８は、軸線Ａの周囲を巻回する２ターンの巻線である。
【００４３】
第２巻線部材８１及び第３巻線部材８２は、平面視において第１コイル巻線７の第１巻線部材７１の形状と概ね対応している。すなわち、第１巻線部材７１、第２巻線部材８１及び第３巻線部材８２の開口７０１，８０１，８０２は略同一であると共に、第１巻線部材７１、第２巻線部材８１及び第３巻線部材８２の外形も略同一である。ただし、接続端子の取り付け位置、及び、巻線部材の一端部と他端部との間に設けられるスリットの位置は互いに異なる。
【００４４】
第２巻線部材８１の一端部には、開口８０１の軸線Ａから外方へ突出する第３接続端子８３が一体的に設けられている。第３接続端子８３は、第１コイル巻線７の第２接続端子７３と連結される。第２巻線部材８１の他端部はＵ字状の接続部８４を介して第３巻線部材８２の一端部に連結されている。第３巻線部材８２の他端部には、開口８０２の軸線Ａから外方へ突出する第４接続端子８５が一体的に設けられている。第３接続端子８３及び第４接続端子８５は、それぞれ第２巻線部材８１及び第３巻線部材８２に対してＹ軸負側に突出するように設けられている。
【００４５】
上記の構成を有する第２コイル巻線８では、第３接続端子８３が第２コイル巻線８の始端、第４接続端子８５が第２コイル巻線８の終端になっている。そして、第３接続端子８３に電流を入力した場合、電流は、第２巻線部材８１、接続部８４、第３巻線部材８２の順で流れ、第４接続端子８５から出力される。
【００４６】
また、第２コイル巻線８の第２巻線部材８１には、第３接続端子８３とは別に、第２巻線部材８１の周縁から軸線Ａに対して外方且つＸ軸方向へ突出する一対の放熱端子部８６Ａ，８６Ｂが一体的に設けられている。一対の放熱端子部８６Ａ，８６Ｂは、第２巻線部材８１のうち、第３接続端子８３及び第４接続端子８５に対して対向する側のＸ軸方向に沿って延びる部分の両端から、Ｘ軸方向に沿って突出している。したがって、図４等に示すように、放熱端子部８６Ａ、第２巻線部材８１のうちＸ軸方向に沿って延びる領域、及び、放熱端子部８６Ｂがこの順でＸ軸方向に沿って直線状に配置するように形成される。放熱端子部８６Ａ，８６Ｂは、第２巻線部材８１からの放熱を促進するために設けられているが、詳細は後述する。なお、放熱端子部８６が設けられる位置は上記の構成に限定されない。
【００４７】
また、第２コイル巻線８の第２巻線部材８１の内周には、内周の一部を切り欠いた切り欠き部８７が設けられる。この切り欠き部８７は、後述のボビン９に対して取り付けた際に、第２コイル巻線８の軸線Ａ方向に沿った移動を規制する。その詳細については後述する。
【００４８】
上記の第２コイル巻線８では、第３接続端子８３、第２巻線部材８１、接続部８４、第３巻線部材８２、及び第４接続端子８５が、電流の流れを構成する巻線部として機能する。また、第３接続端子８３及び第４接続端子８５のように他の部品との間の電気の入出力のための接続を行わない端子部である放熱端子部８６Ａ，８６Ｂが、第２コイル巻線８からの放熱を行うための放熱部として機能する。
【００４９】
以上の構成を有する第２コイル巻線８は、電気伝導性が高い一枚の板材（銅板、アルミニウム板等）を打ち抜き加工することで形成可能である。なお、第２コイル巻線８はこのような折り曲げコイルに限られず、例えば、コイル部材と連結部とをネジ留めしたものであってもよいし、溶接したものであってもよい。また、リベットで固定してもよい。
【００５０】
（ボビン）
次に、ボビン９の構成について図５〜図８を用いて説明する。図５及び図６は、ボビン９の斜視図である。また、図７は、ボビン９の正面図であり、図８は、ボビン９の背面図である。
【００５１】
図５〜図８に示すように、ボビン９は、第１コイル巻線７及び第２コイル巻線８の軸線Ａ方向に沿って延び、平面視において外形が略矩形である筒状の本体部９１と、本体部９１の外面から外方に突出する平板状のフランジ部９２と、フランジ部９２の一の周縁から連続して形成されてＸ軸方向に沿って延びる放熱端子支持部９３と、を有する。
【００５２】
上記のボビン９は、絶縁性の材料により構成され、例えばＰＢＴ（Poly  Butylene  Terephthalate）樹脂やＰＰＳ（Poly  Phenylene  Sulfide）樹脂等が、耐熱性、耐薬品性、難燃性、寸法安定性等の特性に優れていることから好適に用いられる。
【００５３】
ボビン９の各部について説明する。ボビン９の本体部９１は、軸線Ａ方向に沿って延びる開口９０１を有した平面視での外形が略矩形であり且つ筒状を呈しているが、軸線Ａ方向に対して垂直な断面においてはフランジ部９２が取り付けられる高さ位置では矩形環状であるが、他の高さ位置では略コの字形状（Ｕ字形状）を呈している。本体部９１は、一対の側壁部を二組有する。すなわち、本体部９１は、軸線Ａ方向（Ｚ軸方向）及びＸ軸方向に沿ってそれぞれ延びる平坦な一対の側壁部９１１，９１３と、軸線Ａ方向（Ｚ軸方向）及びＹ軸方向に沿ってそれぞれ延びる平坦な一対の側壁部９１２，９１４と、を有する。側壁部９１１，９１３、及び、側壁部９１２，９１４は、それぞれ軸線Ａを挟んで対向している。また、一対の側壁部９１１，９１３及び一対の側壁部９１２，９１４が連結されて、本体部９１が形成されている。
【００５４】
本体部９１の側壁部９１３は、フランジ部９２よりも下方（Ｚ軸負側）のみに設けられていて、フランジ部９２より上方（Ｚ軸正側）には側壁部９１３が設けられていない。すなわち、フランジ部９２より上方において、本体部９１は、側壁部９１１，９１２，９１４による略コの字形状（Ｕ字形状）を呈している。このうち、軸線Ａを挟んで対向配置されている側壁部９１２，９１４の幅（Ｙ軸方向の長さ）は、第１コイル巻線７の第１巻線部材７１の開口７０１のＹ軸方向の長さよりも短くなっている。上記のように、本実施形態に係る平面視で外形が略矩形且つ筒状の本体部とは、本体部全体が筒状である必要はなく、平面視において筒状であり、その周囲にコイル巻線を巻回可能であればよい。
【００５５】
また、本体部９１の側壁部９１４は、フランジ部９２よりも上方（Ｚ軸正側）のみに設けられていて、フランジ部９２より下方（Ｚ軸負側）には側壁部９１４が設けられていない。すなわち、フランジ部９２より下方において、本体部９１は、側壁部９１１，９１２，９１３による略コの字形状（Ｕ字形状）を呈している。このうち、軸線Ａを挟んで対向配置されている側壁部９１１，９１３の幅（Ｘ軸方向の長さ）は、第２コイル巻線８の第２巻線部材８１の開口８０１及び第３巻線部材８２のＸ軸方向の長さよりも短くなっている。
【００５６】
ボビン９のフランジ部９２は、本体部９１の側壁部９１１，９１２，９１３，９１４の外面からそれぞれ軸線Ａに対して外方に突出し、軸線Ａ方向に対して略垂直な平面（ＸＹ平面）に沿って延びる平板状の部材であり、平面視において矩形環状を呈している。フランジ部９２が取り付けられる高さ位置は、第１コイル巻線７及び第２コイル巻線８の厚さ（Ｚ軸方向の長さ）に基づいて設定される。すなわち、フランジ部９２よりも上方（Ｚ軸正側）の本体部の長さ（Ｚ軸方向の長さ）が第１コイル巻線７の厚さに相当し、フランジ部９２よりも下方（Ｚ軸負側）の本体部の長さが第２コイル巻線８の厚さに相当するように、本体部９１に対するフランジ部９２の取り付け位置が決定される。
【００５７】
フランジ部９２の平面視における形状は、第１コイル巻線７及び第２コイル巻線８の巻線部材に対応している。すなわち、フランジ部９２の外形は、第１巻線部材７１、第２巻線部材８１と略同一である。ただし、フランジ部９２の外周の一部には凹部９２５が形成されている。凹部９２５は、第１コイル巻線７の第２接続端子７３と第２コイル巻線８の第３接続端子８３との連結を行うためにフランジ部９２の外周を切り欠いて形成された領域である。また、フランジ部９２の一部は、後述の放熱端子支持部９３と重なっている。この点については後述する。
【００５８】
フランジ部９２のうちＺ軸正側の主面を上面９２１としＺ軸負側の主面を下面９２２とする。まず、フランジ部９２の上面９２１側の各部について説明した後、フランジ部９２の下面９２２側の各部について説明する。
【００５９】
外形が略矩形状のフランジ部９２の上面９２１は四辺の周縁部を有するが、このうちＹ軸方向に沿って延びる一対の周縁部のそれぞれには、周縁部に沿って上面９２１から上方（Ｚ軸正側）に突出する一対のガイド部９４１、９４２が設けられる。ガイド部９４１は、フランジ部９２の上面９２１のうち、軸線Ａに対して本体部９１の側壁部９１２よりも外側に設けられたフランジ部９２の周縁部に沿って形成される。ガイド部９４２は、フランジ部９２の上面９２１のうち、軸線Ａに対して本体部９１の側壁部９１４よりも外側に設けられたフランジ部９２の周縁部に沿って形成される。フランジ部９２の上面の周縁に対向して設けられるガイド部９４１，９４２は、ボビン９に対して第１コイル巻線７を取り付ける際の第１コイル巻線７の移動をガイドする機能を有する。
【００６０】
フランジ部９２の上面９２１における四辺の周縁部のうち、Ｘ軸方向に沿って延びる周縁部であって、且つ、放熱端子支持部９３が設けられる側の周縁とは逆側（Ｙ軸負側）の周縁部には、周縁部に沿って上面９２１から上方（Ｚ軸正側）に突出する係止爪部９５１（第１係止部）が設けられる。係止爪部９５１の高さ（Ｚ軸方向の長さ）は第１コイル巻線７の第１巻線部材７１の厚さ（Ｚ軸方向の長さ）よりも十分小さく、第１コイル巻線７をボビン９に対して取り付ける場合には、フランジ部９２の弾性によって、その上方を第１コイル巻線７が通過可能とされる。この点については後述する。
【００６１】
また、フランジ部９２の上面９２１側において、側壁部９１１と側壁部９１４とが連続する角の部分には、側壁部９１１及び上面９２１に対して取り付けられて軸線Ａ方向（Ｚ軸方向）に沿って延びる鍵型状の規制部９６が設けられる。規制部９６は、軸線Ａ方向に沿って延びる棒状部９６１と、棒状部９６１の上方（Ｚ軸正側）の端部から側壁部９１４側に突出する規制爪部９６２（第１規制爪部）とを有する。規制部９６の棒状部９６１は、第１コイル巻線７の第１巻線部材７１に形成されているスリットに対応した形状となっている。棒状部９６１の高さ（Ｚ軸方向の長さ）は、第１コイル巻線７の第１巻線部材７１に応じて設定されている。すなわち、規制爪部９６２の下面（Ｚ軸負側の面）とフランジ部９２の上面９２１との距離が第１巻線部材７１の厚さ（Ｚ軸方向の長さ）と略同一又はそれよりも大きくなっている。
【００６２】
フランジ部９２の下面９２２は四辺の周縁部を有するが、Ｙ軸方向に沿って延びる一対の周縁部のうち、ガイド部９４２の裏面となる位置には、周縁部に沿って下面９２２から下方（Ｚ軸負側）に突出する外壁部９７（第２規制壁部）が設けられる。外壁部９７は、軸線Ａ方向（Ｚ軸方向）に沿って下方に延びて、その端部は、本体部９１の下端と同じ高さ位置とされる。外壁部９７の幅（Ｙ軸方向の長さ）は特に限定されないが、本実施形態のボビン９では、フランジ部９２の周縁の長さに対応している。また、外壁部９７の端部からは、本体部９１側（すなわち軸線Ａ側）に突出する規制爪部９７１（第２規制爪部）が形成される。さらに、外壁部９７の端部とフランジ部９２の下面９２２との間にも規制爪部９７２（第２規制爪部）が形成される。規制爪部９７１，９７２は、それぞれＹ軸方向に沿って延びる。規制爪部９７２の高さ位置は、第２コイル巻線８をボビン９に取り付けた際の第２巻線部材８１と第３巻線部材８２との間に位置するように設けられる。
【００６３】
また、フランジ部９２の下面９２２は四辺の周縁部におけるＹ軸方向に沿って延びる一対の周縁部のうち、ガイド部９４１の裏面となる位置には、周縁部に沿って下面９２２から下方（Ｚ軸負側）に突出する係止爪部９５２（第２係止部）が設けられる。係止爪部９５２の高さ（Ｚ軸方向の長さ）は第２コイル巻線８の第２巻線部材８１の厚さ（Ｚ軸方向の長さ）よりも十分小さく、第２コイル巻線８をボビン９に対して取り付ける場合には、フランジ部９２の弾性によって、その上方を第２コイル巻線８が通過可能とされる。この点については後述する。
【００６４】
また、係止爪部９５２と対向する側の本体部９１の側壁部９１２の端部から、軸線Ａに対して外方に突出する規制爪部９７３（第２規制爪）が形成される。また、側壁部９１２の端部とフランジ部９２の下面９２２との間にも軸線Ａに対して外方に突出する規制爪部９７４（第２規制爪）が形成される。規制爪部９７３，９７４は、側壁部９１２に対して設けられ、それぞれＹ軸方向に沿って延びる。規制爪部９７４の高さ位置は、規制爪部９７２の高さ位置と同じである。すなわち、規制爪部９７４は、第２コイル巻線８をボビン９に取り付けた際の第２巻線部材８１と第３巻線部材８２との間に位置するように設けられる。
【００６５】
本体部９１の側壁部９１３には、軸線Ａに対して外方に突出する凸部９８が形成される（図６、図８参照）。凸部９８の高さ位置は、規制爪部９７２，９７４の高さ位置と同じである。すなわち、第２コイル巻線８をボビン９に取り付けた際の第２巻線部材８１と第３巻線部材８２との間に対応する。また、平面視における凸部９８の取り付け位置は、第２コイル巻線８をボビン９に対して取り付ける途中での第２巻線部材８１における切り欠き部８７の位置に対応する。
【００６６】
ボビン９の放熱端子支持部９３は、フランジ部９２の四辺の周縁部のうち、Ｘ軸方向に沿って延びる周縁部であって、係止爪部９５１が設けられる側の周縁部とは異なる側の周縁部に連続して設けられる。放熱端子支持部９３は、一対の放熱端子部８６Ａ，８６Ｂと、その間に設けられてＸ軸方向に沿って延びる第２巻線部材８１の一部の領域を一体的に支持する。すなわち、放熱端子支持部９３は、Ｘ軸方向に沿って延びる概略柱状の部材であり、放熱端子支持部９３の長さ（Ｘ軸方向の長さ）は、第２コイル巻線８に設けられる一対の放熱端子部８６Ａ，８６Ｂ間の距離に応じて設定される。
【００６７】
放熱端子支持部９３の下面（Ｚ軸負側の主面）９３１は、フランジ部９２の下面９２２と連続している。放熱端子支持部９３の下面９３１は、第２コイル巻線８の第２巻線部材と対向する領域である。また、放熱端子支持部９３は、Ｘ軸正側においては、下面９３１から連続して設けられ、第２巻線部材８１の放熱端子部８６Ａに対向するように、Ｘ軸正側に突出する端子支持面９３２Ａと、端子支持面９３２ＡのＸ軸正側の端部から下方（Ｚ軸負側）へ突出するリッジ部９３３Ａとを有している。また、放熱端子支持部９３は、Ｘ軸負側においては、下面９３１から連続して設けられ、第２巻線部材８１の放熱端子部８６Ｂに対向するように、Ｘ軸負側に突出する端子支持面９３２Ｂと、端子支持面９３２ＢのＸ軸正側の端部から下方（Ｚ軸負側）へ突出するリッジ部９３３Ｂとを有している。
【００６８】
リッジ部９３３Ａ，９３３Ｂは、第２コイル巻線８とボビン９を組み立てた際に、それぞれ放熱端子部８６Ａ，８６Ｂよりも外側に位置する。したがって、リッジ部９３３Ａ，９３３Ｂは、第２コイル巻線８とボビン９との位置ずれを抑制する機能を有している。なお、リッジ部９３３Ａの高さ（Ｚ軸方向の長さ）は、リッジ部９３３Ｂと比較して小さく、且つ、第２コイル巻線８の第２巻線部材８１の厚さ（Ｚ軸方向の長さ）よりも十分小さく、よりも十分小さく、第２コイル巻線８をボビン９に対して取り付ける場合には、放熱端子支持部９３の弾性によって、その上方を第２コイル巻線８が通過可能とされる。この点については後述する。
【００６９】
さらに、放熱端子支持部９３は、下面９３１とは逆側（Ｚ軸正側）の上面側において、第１コイル巻線７を支持する機能も有する。具体的には、放熱端子支持部９３は、厚さ方向（Ｚ軸方向）で見たときに肉厚とされていて、下面９３１の上方では、柱状の放熱端子支持部９３の延在方向に沿ってＸ軸方向に長く、且つ、Ｙ軸方向に貫通する貫通孔９３４が形成されている。貫通孔９３４の内面のうち下方側（Ｚ軸負側）に形成されたＸＹ平面に沿って延びる面は、フランジ部９２の上面９２１と連続している。また、貫通孔９３４の幅（Ｘ軸方向の長さ）は、第１コイル巻線７の第１巻線部材７１の幅（Ｘ軸方向の長さ）に対応している。また、貫通孔９３４の高さ（Ｚ軸方向の長さ）は、第１コイル巻線７の第１巻線部材７１の高さ（Ｚ軸方向の長さ）に対応している。第１コイル巻線７は、ボビン９に対して取り付ける際に、その一部が貫通孔９３４に対して挿入される。これにより、第１コイル巻線７の移動が大幅に規制される。
【００７０】
本実施形態に係る放熱端子支持部９３は、上記のように第１コイル巻線７の第１巻線部材７１を挿入するための貫通孔９３４が設けられているため、放熱端子部８６Ａ，８６Ｂを同時に支持することができる柱状となっている。しかし、放熱端子部の配置や数に応じて、放熱端子部を個別に支持するような形状及び配置に変更してもよい。
【００７１】
（コイル部品の組み立て）
次に、第１コイル巻線７、第２コイル巻線８、及びボビン９を含むコイル部品５の組み立て方法について説明する。コイル部品５は、第１コイル巻線７及び第２コイル巻線８をボビン９に取り付けることで組み立てられる。本実施形態では、まず第１コイル巻線７をボビン９に取り付け、その後第２コイル巻線８を取り付ける場合について説明する。なお、第１コイル巻線７及び第２コイル巻線８取り付ける順番は上記に限定されず、任意の順番でコイル部品５を組み立てることができる。
【００７２】
まず、ボビン９への第１コイル巻線７の取り付けについて、図９〜図１１を参照しながら説明する。図９〜図１１は、ボビン９への第１コイル巻線７の取り付け方法を説明するための斜視図である。
【００７３】
ボビン９に対して第１コイル巻線７を取り付けるためには、２段階に分けてボビン９に対して第１コイル巻線７を移動させる必要がある。具体的には、第１段階はＺ軸に沿った上下方向の移動であり、第２段階はＹ軸に沿った水平方向の移動である。
【００７４】
まず、図９に示すように、ボビン９の中央を通る軸線Ａに対して第１コイル巻線７における第１巻線部材７１の中央を通る軸線Ｂが、Ｙ軸負側に位置する状態で、第１コイル巻線７をボビン９の上方（Ｚ軸正側であってフランジ部９２の上面９２１に対向する側）に配置する。軸線Ａと軸線Ｂとは、ボビン９に対して第１コイル巻線７を取り付けた後は一致するが、第１段階の前には図９に示すように、軸線Ａに対して軸線ＢがＹ軸負側に位置する状態とする。このとき、第１コイル巻線７は、平面視において、ボビン９の放熱端子支持部９３と重ならず、且つ、側壁部９１１，９１２，９１４及び規制部９６とも重ならない位置とされる。側壁部９１２，９１４の幅（Ｙ軸方向の長さ）は、第１コイル巻線７の第１巻線部材７１の開口７０１のＹ軸方向の長さよりも短くされているので、軸線Ａに対して軸線ＢがＹ軸負側に位置する状態であっても、第１コイル巻線７と側壁部９１２，９１４とが重ならない位置を実現することができる。
【００７５】
この状態で、第１コイル巻線７をＺ軸正側からボビン９に対してＺ軸方向に沿って図９の矢印Ａ１方向（Ｚ軸負方向）に移動させる。この結果、第１コイル巻線７の開口７０１に対して本体部９１（側壁部９１１，９１２，９１４）が挿入され、第１巻線部材７１がフランジ部９２の上面９２１と当接する位置まで第１コイル巻線７が下方に移動する。
【００７６】
この結果、図１０に示すように、フランジ部９２の上面９２１に対して第１巻線部材７１の下面が当接した状態となる。このとき、第１巻線部材７１のうちＹ軸方向に延びる領域の一部は、側壁部９１２とガイド部９４１との間、又は、側壁部９１４とガイド部９４２との間に収容される。ただし、図１０に示すように、ボビン９の中央を通る軸線Ａに対して第１コイル巻線７における第２巻線部材８１の軸線ＢがＹ軸負側にあり、互いに異なる位置の状態である。したがって、ボビン９の本体部の開口９０１と、第１コイル巻線７の第１巻線部材７１の開口７０１とは、Ｚ軸方向から見たときに重ならない領域が生じている。
【００７７】
また、第１コイル巻線７をフランジ部９２の上面９２１と当接させた状態では、第１コイル巻線７の第１巻線部材７１は、係止爪部９５１とも当接した状態となっている。このとき、ボビン９の弾性により、フランジ部９２が僅かに撓んだ状態となっている。
【００７８】
次に、ボビン９のフランジ部９２の上面９２１に対して当接する第１コイル巻線７を、上面９２１に沿って（ＸＹ平面に沿って）、矢印Ａ２方向（Ｙ軸正方向：第１の方向）に平行に移動する。このとき、Ｙ軸方向、すなわち、側壁部９１２，９１４の幅方向に沿って延びる一対のガイド部９４１，９４２及び側壁部９１２，９１４によって、第１コイル巻線７の移動方向が規制され、矢印Ａ２方向へスムーズに移動することができる。すなわち、ガイド部９４１，９４２と、側壁部９１２，９１４についても、軸線Ａに対して直交するＸＹ平面に沿った移動範囲内でのＹ軸方向への第１コイル巻線７の移動を許容しつつガイドする第１ガイド部として機能する。
【００７９】
第１コイル巻線７は、矢印Ａ２方向（Ｙ軸正方向）に、第１巻線部材７１のうち第２接続端子７３側に連続してＸ軸方向に沿って延びる部分が側壁部９１１と当接する位置まで移動する。移動後の状態、すなわち、第１コイル巻線７を取り付け位置まで移動して、ボビン９に対して取り付けた状態を図１１に示す。図１１に示す状態では、ボビン９の中央を通る軸線Ａと第１コイル巻線７における第２巻線部材８１の軸線Ｂとが一致するので、図１１では軸線Ａとして示している。このとき、第１巻線部材７１のうち放熱端子支持部９３側でＸ軸方向に沿って延びる一部の領域が、放熱端子支持部９３に設けられた貫通孔９３４内に挿入される。貫通孔９３４の内面をフランジ部９２の上面９２１とは連続しているので、第１コイル巻線７を上面９２１に沿って移動させることで、第１巻線部材７１の上記の一部の領域を貫通孔９３４に滑らかに挿入することができる。
【００８０】
また、第１巻線部材７１がボビン９の側壁部９１１と当接する位置まで第１コイル巻線７を移動させると、第１コイル巻線７は、係止爪部９５１を跨いで乗り越えた状態となる。その結果、図１１に示すように、第１巻線部材７１の外周側（Ｙ軸負側）で係止爪部９５１が突出した状態となる。
【００８１】
さらに、第１巻線部材７１がボビン９の側壁部９１１と当接する位置まで第１コイル巻線７を移動させると、図１１に示すように、第１コイル巻線７の突出部７５が規制部９６の棒状部９６１と対向した状態となる。このとき、規制部９６の規制爪部９６２の下方に突出部７５が入り込み、規制爪部９６２が突出部７５の上側に位置する状態となる。
【００８２】
次に、ボビン９への第２コイル巻線８の取り付けについて、図１２〜図１４を参照しながら説明する。図１２〜図１４は、ボビン９への第２コイル巻線８の取り付け方法を説明するための斜視図である。
【００８３】
ボビン９に対して第２コイル巻線８を取り付けるためには、２段階に分けてボビン９に対して第２コイル巻線８を移動させる必要がある。具体的には、第１段階はＺ軸に沿った上下方向の移動であり、第２段階はＸ軸に沿った水平方向の移動である。
【００８４】
まず、図１２に示すように、ボビン９の中央を通る軸線Ａに対して第２コイル巻線８における第２巻線部材８１及び第３巻線部材８２の中央を通る軸線ＣがＸ軸正側に位置する状態で、第２コイル巻線８をボビン９の下方（図１２では上方：Ｚ軸負側であってフランジ部９２の下面９２２に対向する側）に配置する。軸線Ａと軸線Ｃとは、ボビン９に対して第２コイル巻線８を取り付けた後は一致するが、第１段階の前には図１２に示すように、軸線Ａに対して軸線ＣがＸ軸正側に位置する状態とする。このとき、第２コイル巻線８は、平面視において、ボビン９の側壁部９１１，９１２，９１３及び外壁部９７と重ならない位置とされる。側壁部９１１，９１３の幅（Ｘ軸方向の長さ）は、第２コイル巻線８の第２巻線部材８１の開口８０１及び第３巻線部材８２の開口８０２のＸ軸方向の長さよりも短くされているので、軸線Ａに対して軸線ＣがＸ軸正側に位置する状態であっても、第２コイル巻線８と側壁部９１１，９１３とが重ならない位置を実現することができる。
【００８５】
この状態で、第２コイル巻線８をＺ軸負側からボビン９に対してＺ軸方向に沿って図１２の矢印Ａ３方向（Ｚ軸正方向）に移動させる。この結果、第２コイル巻線８の第２巻線部材８１の開口８０１及び第３巻線部材８２の開口８０２に対して本体部９１（側壁部９１１，９１２，９１３）が挿入され、第２巻線部材８１がフランジ部９２の下面９２２と当接する位置まで第２コイル巻線８が下方に移動する。
【００８６】
この結果、図１３に示すように、フランジ部９２の下面９２２に対して第２巻線部材８１の上面が当接した状態となる。このとき、第２巻線部材８１のうちＹ軸方向に延びる領域の一部は、側壁部９１２とガイド部９４１との間、又は、側壁部９１４とガイド部９４２との間に収容される。また、放熱端子支持部９３の下面９３１が第２巻線部材８１の上面と当接すると共に、端子支持面９３２Ａ，９３２Ｂがそれぞれ第２巻線部材８１の放熱端子部８６Ａ，８６Ｂと当接する。また、側壁部９１３に設けられた凸部９８は、第２巻線部材８１の切り欠き部８７を通り、第２巻線部材８１と第３巻線部材８２との間に位置することになる。
【００８７】
ただし、図１３に示すように、ボビン９の中央を通る軸線Ａに対して、第２コイル巻線８における第２巻線部材８１及び第３巻線部材８２の軸線ＣがＸ軸正側にあり、互いに異なる位置の状態である。したがって、ボビン９の本体部の開口９０１と、第２コイル巻線８の第２巻線部材８１の開口８０１及び第３巻線部材８２の開口８０２とは、Ｚ軸方向から見たときに重ならない領域が生じている。
【００８８】
また、第２コイル巻線８をフランジ部９２の下面９２２と当接させた状態では、第２コイル巻線８の第２巻線部材８１は、フランジ部９２に設けられた係止爪部９５２とも当接した状態となっている。このとき、ボビン９の弾性により、フランジ部９２が僅かに撓んだ状態となっている。同様に、放熱端子部８６Ａは、放熱端子支持部９３のリッジ部９３３Ａとも当接した状態となっている。このとき、ボビン９の弾性により、放熱端子支持部９３も僅かに撓んだ状態となっている。
【００８９】
次に、ボビン９のフランジ部９２の下面９２２に対して当接する第２コイル巻線８を、下面９２２に沿って（ＸＹ平面に沿って）、矢印Ａ４方向（Ｘ軸負方向：第２の方向）に平行に移動する。このとき、Ｘ軸方向に延びる側壁部９１１，９１３によって、第２コイル巻線８の移動方向が規制され、矢印Ａ４方向へスムーズに移動することができる。すなわち、側壁部９１１，９１３が軸線Ａに対して直交するＸＹ平面に沿った移動範囲内でのＸ軸方向（側壁部９１１，９１３の幅方向）への第２コイル巻線８の移動を許容しつつガイドする第２ガイド部として機能する。
【００９０】
第２コイル巻線８は、矢印Ａ４方向（Ｘ軸負方向）に、第２巻線部材８１及び第３巻線部材８２のＸ軸負側の一部が外壁部９７と当接し、且つ、第２巻線部材８１及び第３巻線部材８２のＸ軸正側の一部が側壁部９１２と当接する位置まで移動する。移動後の状態、すなわち、第２コイル巻線８を取り付け位置まで移動して、ボビン９に対して取り付けた状態を図１４に示す。図１４に示す状態では、ボビン９の中央を通る軸線Ａと第２コイル巻線８における第２巻線部材８１及び第３巻線部材８２の軸線Ｂとが一致するので、図１４では軸線Ａとして示している。第２コイル巻線８をボビン９に対して取り付けた状態では、第２巻線部材８１の第３接続端子８３が、既にボビン９に対して取り付けられている第１コイル巻線７の第２接続端子７３と重なり合う状態となる。
【００９１】
このとき、ボビン９の外壁部９７と当接する領域において、第２巻線部材８１はフランジ部９２の下面９２２と規制爪部９７２との間に位置し、第３巻線部材８２は規制爪部９７２と規制爪部９７１との間に位置する。また、ボビン９の側壁部９１２と当接する領域において、第２巻線部材８１はフランジ部９２の下面９２２と規制爪部９７４との間に位置し、第３巻線部材８２は規制爪部９７４と規制爪部９７３との間に位置する。また、第２巻線部材８１に設けられた放熱端子部８６Ｂは、放熱端子支持部９３のリッジ部９３３Ｂと当接する状態となる。
【００９２】
また、第２巻線部材８１及び第３巻線部材８２が外壁部９７及び側壁部９１２と当接する位置まで第２コイル巻線８を移動させると、第２コイル巻線８は、フランジ部９２に設けられた係止爪部９５２及び放熱端子支持部９３のリッジ部９３３Ａを跨いで乗り越えた状態となる。その結果、放熱端子部８６ＡよりもＸ軸正側でリッジ部９３３Ａが突出し、第２巻線部材８１の外周側（Ｘ軸正側）で係止爪部９５２が突出した状態となる。
【００９３】
以上により、ボビン９に対して第１コイル巻線７及び第２コイル巻線８が取り付けられたコイル部品５が得られる。図１５及び図１６にコイル部品５の概略斜視図を示す。
【００９４】
図１５及び図１６に示すように、コイル部品５においては、ボビン９の各部によって第１コイル巻線７の移動が規制される。具体的には、第１コイル巻線７の軸線Ａに沿った下方（Ｚ軸負方向）への移動は、フランジ部９２の上面９２１によって規制される。第１コイル巻線７の軸線Ａに沿った上方（Ｚ軸正方向）への移動は、規制部９６の規制爪部９６２と、放熱端子支持部９３の貫通孔９３４の上面によって規制される。また、第１コイル巻線７のＸ軸正方向への移動は、ガイド部９４１、側壁部９１４、及び、放熱端子支持部９３の貫通孔９３４の一方の側面によって規制される。同様に、第１コイル巻線７のＸ軸負方向への移動は、ガイド部９４２、側壁部９１２、及び、放熱端子支持部９３の貫通孔９３４の他方の側面によって規制される。さらに、第１コイル巻線７のＹ軸正方向（第１の方向）への移動は、側壁部９１１によって規制される。そして、第１コイル巻線７のＹ軸負方向（第１の方向に対する逆方向）への移動は、係止爪部９５１によって規制される。このように、第１コイル巻線７は、直交座標軸であるＸＹＺ軸に沿った全ての方向への移動が規制された状態となる。
【００９５】
同様に、コイル部品５においては、ボビン９の各部によって第２コイル巻線８の移動が規制される。具体的には、第２コイル巻線８の軸線Ａに沿った上方（Ｚ軸正方向）への移動は、フランジ部９２の下面９２２によって規制される。また、第２コイル巻線８の軸線Ａに沿った下方（Ｚ軸負方向）への移動は、外壁部９７の規制爪部９７１，９７２と、側壁部９１２の規制爪部９７３，９７４によって規制される。また、第２コイル巻線８のＸ軸正方向（第２の方向に対する逆方向）への移動は、フランジ部９２の下面９２２に設けられた係止爪部９５２及び放熱端子支持部９３のリッジ部９３３Ａによって規制される。同様に、第２コイル巻線８のＸ軸負方向（第２の方向）への移動は、側壁部９１２、外壁部９７、及び、放熱端子支持部９３のリッジ部９３３Ｂによって規制される。さらに、第２コイル巻線８のＹ軸正方向への移動は、側壁部９１１によって規制される。そして、第２コイル巻線８のＹ軸負方向への移動は、側壁部９１３によって規制される。このように、第２コイル巻線８は、直交座標軸であるＸＹＺ軸に沿った全ての方向への移動が規制された状態となる。
【００９６】
さらに、第２コイル巻線８の第２巻線部材８１と第３巻線部材８２との短絡を防ぐために、ボビン９には、第２巻線部材８１と第３巻線部材８２との間に位置する凸部９８が設けられている。ここで、第２巻線部材８１には、凸部９８に対応する切り欠き部８７が形成されているが、ボビン９への第２コイル巻線８の取り付け時に、上述したように第２コイル巻線８をＸ軸方向へ移動させる。このため、図１６に示すように、凸部９８の上下に第２巻線部材８１と第３巻線部材８２とが存在する状態となるため、凸部９８により第２巻線部材８１と第３巻線部材８２との短絡を防ぐことができる。また、凸部９８のほかにも、第２巻線部材８１と第３巻線部材８２との間には、規制爪部９７２，９７４が配置されている。これにより、第２コイル巻線８の第２巻線部材８１と第３巻線部材８２との短絡を効果的に防ぐことができる。
【００９７】
ボビン９に第１コイル巻線７及び第２コイル巻線８を取り付けた後、これらを連結することにより、コイル部品５が形成される。具体的には、ボビン９の所定の位置に対して第１コイル巻線７及び第２コイル巻線８を取り付けた状態では、図１５に示すように、第１コイル巻線７の第２接続端子７３と第２コイル巻線８の第３接続端子８３とは当接する状態となるので、例えば、これらをネジ留めによって固定することができる。これにより、第１コイル巻線７及び第２コイル巻線８は電気的に接続され、軸線Ａの周囲を巻回する３ターンのコイル巻線として機能する。なお、第２接続端子７３と第３接続端子８３とを固定する方法はネジ留めに限定されず、例えば、溶接又はリベットなどによって固定してもよい。
【００９８】
（チョークの組み立て）
次に、図１７を参照して、チョーク３の組み立てについて説明する。チョーク３は、上記のコイル部品５に一対の磁性体コア部材６Ａ，６Ｂを更に取り付けたものである。
【００９９】
図１７に示すように、磁性体コア部材６Ａ，６Ｂは、コイル部品５を構成する第１コイル巻線７、第２コイル巻線８、及びボビン９の開口を貫く軸線Ａに沿って、コイル部品５を挟むように配置される。
【０１００】
磁性体コア部材６Ａ，６Ｂは、フェライト粉末を圧粉整形して得られるいわゆるＥ型コアである。より具体的には、磁性体コア部材６Ａは、長手方向を有する平板状の基部６０Ａと、基部６０Ａの一方の主面の中心に突設された四角柱状の主脚６１Ａと、主脚６１Ａを挟んで基部６０Ａの両端部に設けられた２本の外脚６２Ａ，６３Ａとを有している。また、磁性体コア部材６Ｂは、長手方向を有する平板状の基部６０Ｂと、基部６０Ｂの一方の主面の中心に突設された四角柱状の主脚６１Ｂと、主脚６１Ｂを挟んで基部６０Ｂの端部に設けられた２本の外脚６２Ｂ，６３Ｂとを有している。
【０１０１】
磁性体コア部材６Ａの主脚６１Ａは、コイル部品５の開口、すなわち、ボビン９の開口９０１、第１巻線部材７１の開口７０１、ボビン９の開口９０１を連通するように、第１コイル巻線７が取り付けられる側（Ｚ軸正側）から挿入される。磁性体コア部材６Ｂの主脚６１Ｂは、第２コイル巻線８が取り付けられる側（Ｚ軸負側）からコイル部品５におけるボビン９の開口９０１に挿入される。磁性体コア部材６Ａ，６Ｂがコイル部品５の開口に挿入された状態において、ボビン９の側壁部９１２側において、第１コイル巻線７及び第２コイル巻線８の外側で軸線Ａ方向（Ｚ軸方向）に延びている。また、磁性体コア部材６Ａの外脚６３Ａ及び磁性体コア部材６Ｂの外脚６３Ｂは、ボビン９の側壁部９１４側において、第１コイル巻線７及び第２コイル巻線８の外側で軸線Ａ方向（Ｚ軸方向）に延びている。磁性体コア部材６Ａの主脚６１Ａ、外脚６２Ａ、及び外脚６３Ａは、それぞれ、磁性体コア部材６Ｂの主脚６１Ｂ、外脚６２Ｂ、及び外脚６３Ｂと当接している。
【０１０２】
（電源装置の組み立て）
次に、上記のように組み立てたチョーク３を電源装置１として組み立てる。電源装置１は、筐体２にチョーク３、放熱シート４Ａ，４Ｂ（図３参照）を取り付けることで組み立てられる。チョーク３は、例えば、ネジ、クランプ、又は接着剤などによって筐体２に固定することができる。チョーク３の第１接続端子７２及び第４接続端子８５は、例えば、筐体２に固定された回路基板（不図示）等の他の電子部品と電気的に接続される。
【０１０３】
放熱シート４Ａは、筐体２の柱部２２Ａとチョーク３との間に配置され、放熱シート４Ｂは、柱部２２Ｂとチョーク３との間に配置されている。より具体的には、放熱シート４Ａは、第２巻線部材８１の放熱端子部８６Ａに当接し、放熱シート４Ｂは、第２巻線部材８１の放熱端子部８６Ｂに当接している。筐体２及びチョーク３は放熱シート４Ａ、４Ｂを介して熱的に結合されており、チョーク３において発生した熱は、空冷フィン２３から外部へ放出される。放熱シート４Ａ、４Ｂは、例えば、熱伝導性樹脂などの材料を用いて形成されている。なお、放熱シート４Ａ、４Ｂに代えて、例えば、加熱硬化型又は室温硬化型の放熱シリコーンなどの放熱材料を用いてもよい。
【０１０４】
なお、放熱シート４Ａを放熱端子部８６Ａ及び柱部２２Ａと、放熱シート４Ｂを放熱端子部８６Ｂ及び柱部２２Ｂとより密着させるために、例えば、バネ状の弾性部材などによって放熱端子支持部９３の上面のうち端子支持面９３２Ａ，９３２Ｂに対応する位置を柱部２２Ａ、２２Ｂ側へ向けて上から押さえてもよい。これにより、筐体２及びチョーク３がより確実に熱的に結合されるので、チョーク３において発生した熱をより効率的に外部へ放出することができる。
【０１０５】
以上のように、本実施形態に係るコイル部品５では、第１コイル巻線７をボビン９のフランジ部９２の上面９２１に当接した状態で、第１の方向（Ｙ軸正方向；矢印Ａ２方向）に沿って移動させて取り付け位置まで移動させる。そして、取り付け位置に配置された状態では、軸線Ａ方向に沿って延びる側壁部９１１（第１規制壁部）により、矢印Ａ２方向への第１コイル巻線７の移動が規制される。また、ボビン９のフランジ部９２に設けられた係止爪部９５１（第１係止部）により、第１の方向に対する逆方向（Ｙ軸負方向）への第１コイル巻線７の移動が規制される。このように、上記のコイル部品５によれば、ボビン９が平面視において外形が略矩形状の本体部９１を有している場合に、フランジ部９２に対して当接した第１コイル巻線７を第１の方向（Ｙ軸正方向；矢印Ａ２方向）へ移動させることで、ボビン９への取り付けを適切に行うことができると共に、取り付け位置に第１コイル巻線７を配置した後は、第１コイル巻線７の第１の方向への移動と軸線Ａ方向への移動が規制されるため、第１コイル巻線７を好適に保持することが可能となる。
【０１０６】
また、上記のコイル部品５では、第１コイル巻線７を第１の方向に沿って取り付け位置まで移動させる際には、係止爪部９５１の上方を跨ぐことが許容され、移動後、すなわち、取り付け位置に第１コイル巻線７を取り付けた後は、係止爪部９５１により逆方向への移動が規制される。さらに、取り付け位置では、規制爪部９６２が第１コイル巻線７を挟んでフランジ部９２の上面９２１と対向して設けられて、第１コイル巻線７の軸線Ａ方向に沿った移動が規制されるため、第１コイル巻線７を好適に保持することが可能となる。
【０１０７】
さらに、上記のコイル部品５によれば、第２コイル巻線８もボビン９に取り付けられる。すなわち、第２コイル巻線８をボビン９のフランジ部９２の下面９２２に当接した状態で、第２の方向（Ｘ軸正方向；矢印Ａ４方向）に沿って移動させて取り付け位置まで移動させ、取り付け位置に配置された状態では、軸線Ａ方向に沿って延びる側壁部９１２及び外壁部９７（第２規制壁部）により、第２の方向への第２コイル巻線８の移動が規制される。また、ボビン９のフランジ部９２に設けられた係止爪部９５２及び放熱端子支持部９３に設けられたリッジ部９３３Ａ（第２係止部）により、第２の方向に対する逆方向への第２コイル巻線８の移動が規制される。このように、上記のコイル部品５では、第１コイル巻線７に加えて、第２コイル巻線８についても、フランジ部９２に対して当接した第２コイル巻線８を第２の方向（Ｘ軸正方向；矢印Ａ４方向）へ移動させることで、ボビン９への取り付けを適切に行うことができると共に、取り付け位置に第２コイル巻線８を配置した後は、第２コイル巻線８の第２の方向への移動と軸線方向への移動が規制されるため、第２コイル巻線８を好適に保持することが可能となる。このように、上記のコイル部品５では、１つのボビン９により、２つのコイル巻線を好適に保持することが可能となる。
【０１０８】
また、上記のコイル部品５では、第２コイル巻線８を第２の方向に沿って取り付け位置まで移動させる際には、係止爪部９５２及びリッジ部９３３Ａの上方を跨ぐことが許容され、移動後、すなわち、取り付け位置に第２コイル巻線を取り付けた後は、係止爪部９５２及びリッジ部９３３Ａにより逆方向への移動が規制される。さらに、取り付け位置では、外壁部９７に設けられた規制爪部９７１及び側壁部９１２に設けられた規制爪部９７３（第２規制爪部）が、第２コイル巻線８を挟んでフランジ部９２の下面９２２と対向することで、第２コイル巻線８の軸線Ａ方向に沿った移動が規制されるため、第２コイル巻線８を好適に保持することが可能となる。
【０１０９】
また、上記のコイル部品５では、第２コイル巻線８が複数の巻線部材（第２巻線部材８１及び第３巻線部材８２）により構成された複数ターンの巻数を有する場合、隣接する第２巻線部材８１及び第３巻線部材８２の間に配置される凸部９８がボビン９の本体部９１の側面に設けられることで、巻線部材同士の短絡を防ぐことができる。したがって、コイル巻線をより好適に保持することができる。
【０１１０】
さらに、上記のコイル部品５では、第２コイル巻線８の第２巻線部材８１が、筐体２と熱的に結合される放熱端子部８６Ａ，８６Ｂ（第２放熱端子部）を有している。また、ボビン９は、放熱端子部８６Ａ，８６Ｂを支持する放熱端子支持部９３を有している。これにより、第２コイル巻線８における発熱を効率よく外部（筐体２）に放出することができるだけでなく、第２コイル巻線８に接続する第１コイル巻線７における発熱も効率よく外部に放出することができる。
【０１１１】
また、電源装置１は、コイル部品５と、コイル部品５を含むチョーク３が取り付けられる筐体２とを備えている。電源装置１には、上述したように平面視で外形が略矩形の本体部を有するボビン及びその周囲を巻回されたコイル巻線の取り付け及び保持を好適に行うことが可能なコイル部品５が取り付けられているので、コイル部品５を含む電源装置１においても、コイル巻線を好適に保持することが実現される。また、コイル部品５の組み立てが容易であることから、電源装置１の組み立てについても容易にすることができる。
【０１１２】
（変形例）
次に、コイル部品５の変形例として、第１係止部及び第２係止部の変形例について説明する。上記実施形態では、ボビン９が第１係止部として係止爪部９５１を有し、第２係止部として係止爪部９５２を有している場合について説明したが、係止爪部９５１，９５２とは異なる構成により、第１コイル巻線及び第２コイル巻線の移動を規制する構成とすることができる。
【０１１３】
まず、第１係止部の変形例について、図１８及び図１９を参照しながら説明する。図１８は、変形例に係るコイル部品５Ａにおいて、第１コイル巻線７Ａが取り外された状態の斜視図であり、図１９は、第１コイル巻線７Ａを取り付けた状態を示す図である。
【０１１４】
図１８に示すように、変形例に係るコイル部品５Ａのボビン９Ａのフランジ部９２には、ボビン９に設けられていた係止爪部９５１に代えて、上面９２１から上方へ突出する突起部９５３（第１係止部）が設けられる。また、図１９に示すように、第１コイル巻線７Ａ側には、第１コイル巻線７Ａをボビン９Ａに取り付けた際に、ボビン９Ａの突起部９５３に対応する位置に凹部７５３（第１嵌合部）が設けられる。
【０１１５】
ボビン９Ａが第１係止部として係止爪部９５１に代えて突起部９５３を有し、第１コイル巻線７Ａが凹部７５３を有する場合も、ボビン９Ａへの第１コイル巻線７Ａの取り付けは、上記実施形態で説明した第１コイル巻線７のボビン９への取り付けと同様の方法で行われる。まず、ボビン９Ａの中央を通る軸線Ａに対して第１コイル巻線７Ａにおける第１巻線部材７１の中央を通る軸線ＢがＹ軸負側に位置する状態で、第１コイル巻線７Ａをボビン９Ａの上方（Ｚ軸正側であってフランジ部９２の上面９２１に対向する側）に配置する（図９参照）。そして、第１コイル巻線７ＡをＺ軸正側からボビン９Ａに対してＺ軸方向に沿ってＺ軸負方向（矢印Ａ１方向：図９参照）に移動させて、第１コイル巻線７Ａをフランジ部９２の上面９２１と当接させる。第１コイル巻線７Ａをフランジ部９２の上面９２１と当接させた状態では、第１コイル巻線７Ａの第１巻線部材７１は、突起部９５３とも当接した状態となる。このとき、ボビン９Ａの弾性により、フランジ部９２が僅かに撓んだ状態となっている。
【０１１６】
その後、Ｙ軸正方向（矢印Ａ２方向：図１０参照）に、第１巻線部材７１がボビン９Ａの側壁部９１１と当接する位置まで、第１コイル巻線７Ａを移動させると、図１９に示すように、ボビン９Ａの突起部９５３と、第１コイル巻線７Ａの凹部７５３とが嵌合する状態となる。この状態で、ボビン９Ａに対して第１コイル巻線７Ａが取り付けられる。
【０１１７】
このように、ボビン９の係止爪部９５１と同様に、ボビン９Ａのフランジ部９２に設けられた突起部９５３が第１コイル巻線７Ａの凹部７５３と嵌合することにより、第１の方向に対する逆方向（Ｙ軸負方向）への第１コイル巻線７Ａの移動が規制される。
【０１１８】
次に、第２係止部の変形例について、図２０を参照しながら説明する。図２０は、変形例に係るコイル部品５Ａに対して第２コイル巻線８Ａを取り付けた状態を示す図である。第２コイル巻線８Ａの取り付けの際に用いられる第２係止部についても、第１係止部の変形例と同様に、突起部と嵌合部とが嵌合することにより、第２コイル巻線の移動を規制する構成を実現している。
【０１１９】
図２０に示すように、変形例に係るコイル部品５Ａのボビン９Ａのフランジ部９２には、ボビン９に設けられていた係止爪部９５２に代えて、下面９２２から下方へ突出する突起部９５４（第２係止部）が設けられる。また、第２コイル巻線８Ａの第２巻線部材８１の側には、第２コイル巻線８Ａをボビン９Ａに取り付けた際に、ボビン９Ａの突起部９５４に対応する位置に凹部８５４（第２嵌合部）が設けられる。
【０１２０】
ボビン９Ａが第２係止部として係止爪部９５２に代えて突起部９５４を有し、第２コイル巻線８Ａが凹部８５４を有する場合も、ボビン９Ａへの第２コイル巻線８Ａの取り付けは、上記実施形態で説明した第２コイル巻線８のボビン９への取り付けと同様の方法で行われる。まず、ボビン９Ａの中央を通る軸線Ａに対して第２コイル巻線８Ａにおける第２巻線部材８１及び第３巻線部材８２の中央を通る軸線ＣがＸ軸正側に位置する状態で、第２コイル巻線８Ａをボビン９Ａの下方（Ｚ軸負側であってフランジ部９２の下面９２２に対向する側）に配置する（図１２参照）。そして、第２コイル巻線８ＡをＺ軸負側からボビン９Ａに対してＺ軸方向に沿ってＺ軸正方向（矢印Ａ３方向：図１２参照）に移動させて、第２コイル巻線８Ａをフランジ部９２の下面９２２と当接させる。第２コイル巻線８Ａをフランジ部９２の下面９２２と当接させた状態では、第２コイル巻線８Ａの第２巻線部材８１は、突起部９５４とも当接した状態となる。このとき、ボビン９Ａの弾性により、フランジ部９２が僅かに撓んだ状態となっている。
【０１２１】
その後、Ｘ軸負方向（矢印Ａ４方向：図１３参照）に、第２巻線部材８１及び第３巻線部材８２のＸ軸負側の一部が外壁部９７と当接し、且つ、第２巻線部材８１及び第３巻線部材８２のＸ軸正側の一部が側壁部９１２と当接する位置まで第２コイル巻線８Ａを移動する。この結果、図２０に示すように、ボビン９Ａの突起部９５３と、第２コイル巻線８Ａの凹部８５４とが嵌合する状態となる。この状態で、ボビン９Ａに対して第２コイル巻線８Ａが取り付けられる。
【０１２２】
このように、ボビン９の係止爪部９５２と同様に、ボビン９Ａのフランジ部９２に設けられた突起部９５４が第２コイル巻線８Ａの凹部８５４と嵌合することにより、第２の方向に対する逆方向（Ｘ軸正方向）への第２コイル巻線８Ａの移動が規制される。
【０１２３】
上記のように、第１コイル巻線及び第２コイル巻線の所定の方向への移動を規制する第１係止部及び第２係止部の構造は、適宜変更することができる。なお、上記の図１８〜図２０に示す変形例では、ボビン９Ａ側に突起部９５３，９５４が設けられ、第１コイル巻線７Ａ及び第２コイル巻線８Ａ側に凹部７５３，８５４が設けられる例を示したが、突起部及び凹部の配置は入れ替えてもよい。すなわち、ボビン側に凹部を設けて、コイル巻線側に突起部を設ける構成であってもよい。この場合でも、ボビン側の凹部が係止部として機能し、コイル巻線側の突起部が嵌合部として機能し、両者が嵌合することで、ボビンに対するコイル巻線の所定方向への移動を規制することが可能となる。
【０１２４】
以上、本発明の実施形態について説明したが、本発明は上記の実施形態に限定されず、種々の変更を行うことができる。
【０１２５】
例えば、ボビン９の本体部９１の形状及びフランジ部９２の形状は上記実施形態に限定されず、変更することができる。また、上記実施形態では、本体部９１は、フランジ部９２が取り付けられる高さ位置では矩形環状であるが、他の高さ位置では略コの字形状（Ｕ字形状）を呈している場合について説明した。このように、本体部９１は、軸線Ａ方向に対して垂直な断面の全てにおいて環状である必要はなく、その形状は適宜変更することができる。
【０１２６】
また、上記実施形態では、２つのコイル巻線が用いられているコイル部品５について説明したが、コイル巻線の数は適宜変更することができる。また、コイル部品におけるコイル巻線のターン数も１ターン以上であれば特に限定されない。上記実施形態におけるコイル部品５では、第２コイル巻線８が２ターンの巻数を有していたが、第１コイル巻線７も２ターンの巻数を有していてもよい。また、コイル巻線の巻数が２ターン以上である場合、複数の巻線部材が間を隔てて軸線Ａ方向に並設して配置されることになるが、隣接する巻線部材間に凸部を設けていると、巻線部材間の短絡を好適に防ぐことができる。なお、凸部は、少なくとも一部の巻線部材間に設けられていれば、巻線部材間の短絡を防ぐ効果が高められるが、全ての巻線部材間に凸部を設ける構成とすると、短絡を防ぐ効果がさらに高められる。
【０１２７】
また、放熱端子部８６Ａ，８６Ｂが設けられるのは、第２コイル巻線８の第２巻線部材８１に限定されず、第３巻線部材８２、又は、第１コイル巻線７の第１巻線部材７１であってもよい。また、複数の巻線部材に放熱端子部が設けられていてもよく、放熱端子部の数も特に限定されない。なお、ボビン９には、放熱端子部に対応させて、放熱端子支持部（第１コイル巻線の第１放熱端子部を支持する第１放熱端子支持部、又は、第２コイル巻線の第２放熱端子部を支持する第２放熱端子支持部）が設けられることが好ましい。放熱端子部毎に放熱端子支持部が設けられることで、放熱端子部からの他の部品への放熱を好適に行うことができる。
【０１２８】
また、筐体２の柱部２２Ａ，２２Ｂ等の形状も適宜変更することができる。柱部２２Ａ，２２Ｂは、放熱端子部８６Ａ，８６Ｂからの筐体２への放熱を目的として設けられているので、放熱端子部の形状や配置の変更に対応させて、筐体２の柱部も適宜変更することが好ましい。
【０１２９】
また、上記の実施形態では、ボビン９が一対のフランジ部９２Ａ、９２Ｂを有する構成について説明したが、フランジ部は第１コイル巻線７と第２コイル巻線８との短絡を抑制することができればよく、フランジ部が設けられる数、形状、及び位置は上記の実施形態に限定されず、任意に変更することができる。
【０１３０】
また、上記実施形態では、コイル部品５を出力チョーク４に適用した場合について説明したが、本発明に係るコイル部品は、トランスや共振コイル等、コイル部品を含む各種部品に適応可能である。
【符号の説明】
【０１３１】
１…電源装置、２…筐体、３…チョーク、４Ａ，４Ｂ…放熱シート、５…コイル部品、６Ａ，６Ｂ…磁性体コア部材、７…第１コイル巻線、８…第２コイル巻線、９…ボビン、２１…ベースプレート、２２Ａ，２２Ｂ…柱部、６０Ａ，６０Ｂ…基部、６１Ａ，６１Ｂ…主脚、６２Ａ，６２Ｂ，６３Ａ，６３Ｂ…外脚、７１…第１巻線部材、７２…第１接続端子、７３…第２接続端子、７５…突出部、８１…第２巻線部材、８２…第３巻線部材、８３…第３接続端子、８４…接続部、８５…第４接続端子、８６Ａ，８６Ｂ…放熱端子部、８７…切り欠き部、９１…本体部、９２…フランジ部、９３…放熱端子支持部、９６…規制部、９７…外壁部、９８…凸部、７０１，８０１，８０２，９０１…開口、７５３，８５４…凹部、９１１，９１２，９１３，９１４…側壁部、９３４…貫通孔、９４１，９４２…ガイド部、９５１，９５２…係止爪部、９５３，９５４…突起部、９６１…棒状部、９６２，９７１，９７２，９７３，９７４…規制爪部、Ａ…軸線。
【図１】
0006724559.tif 000002
【図２】
0006724559.tif 000003
【図３】
0006724559.tif 000004
【図４】
0006724559.tif 000005
【図５】
0006724559.tif 000006
【図６】
0006724559.tif 000007
【図７】
0006724559.tif 000008
【図８】
0006724559.tif 000009
【図９】
0006724559.tif 000010
【図１０】
0006724559.tif 000011
【図１１】
0006724559.tif 000012
【図１２】
0006724559.tif 000013
【図１３】
0006724559.tif 000014
【図１４】
0006724559.tif 000015
【図１５】
0006724559.tif 000016
【図１６】
0006724559.tif 000017
【図１７】
0006724559.tif 000018
【図１８】
0006724559.tif 000019
【図１９】
0006724559.tif 000020
【図２０】
0006724559.tif 000021